(57)【要約】【課題】  各種サイズの用紙やパンフレットなどを収納することが出来る収納部を有す展示用ケースの提供。【解決手段】  展示用ケースは基台１に設けた段面８，９，１０・・・に側部材２，２・・・を取付けて構成し、側部材２は段面の両側に取付けると共に段面に沿ってスライドして適度の大きさの空間を有す収納部６，６・・を形成し、側部材２は概略Ｕ形断面の基部１４からＬ形断面の表面板１５を立ち上げると共に基部１４の内側と上方を開口している。【選択図】    図１
2015002785.tif 000002
【特許請求の範囲】
【請求項１】
各種サイズの用紙やパンフレットなどを収納することが出来る収納部を有す展示用ケースにおいて、該展示用ケースは基台に設けた段面に側部材を取付けて構成し、側部材は段面の両側に取付けると共に段面に沿ってスライドして適度の大きさの空間を有す収納部を形成し、側部材は基部から表面板を立ち上げると共に内側と上方を開口したことを特徴とする展示用ケース。
【請求項２】
段面の中央には仕切り板を取付けた請求項１記載の展示用ケース。
【請求項３】
基台の背面部には上下動して高さを調整することが出来る背凭れを取付けた請求項１、又は請求項２記載の展示用ケース。
【請求項４】
上記背凭れの上端には表示パネルを取付けた請求項３記載の展示用ケース。
【請求項５】
上記背面部の上端部には壁に掛ける為の穴を設けた請求項１、請求項２、請求項３、又は請求項４記載の展示用ケース。
【発明の詳細な説明】
【技術分野】
【０００１】
本発明は銀行や郵便局の窓口、また駅の発券売場など、手続きや購入などの目的で各種サイズの用紙を収納することが出来る展示用ケースに関するものである。
【背景技術】
【０００２】
銀行や郵便局の窓口、また駅の発券売場などでは、手続きをする為の各種用紙が用いられ、顧客はこれらの用紙に必要な事項を記入するように成っている。また駅の構内や各種イベント会場には宣伝用の各種パンフレットが置かれている。これらの用紙やパンフレットはそのサイズが色々あって、バタ付くことなく整然と収納する為のケースが用いられている。
【０００３】
例えば、ひな壇のように複数段を有した棚を構成し、各棚に各種用紙やパンフレットを収納することが出来る収納部を設けたものが一般的である。
特開２００２−８５２１６号に係る「商品陳列装置」は、構造が簡単で安価に提供できるとともに、運搬や設置にも便利で、汎用性および機能性に富み、かつパンフレットやカタログ等の収納上の利便性も確保できるようにした商品陳列装置である。
【０００４】
後下方に傾斜する底板と、後傾する背板と、背板の左右両側縁から後方に延出する支持片とを有する受け部材を複数組合わせて、商品を後傾状態で載置する雛壇状の商品受け棚を形成し、受け棚を、左右１対の側板の対向面間に支持片を介してそれぞれ固着し、かつ最下段の受け部材の下方に、前面が開口するとともに、左右両側が側板によって塞がれた物品収納部を形成している。
【０００５】
特開平７−１１６０４４号に係る「パンフレットボックス」は、銀行の窓口など、手続き、購入などの目的で人が整列して待機している場所に用いるに適するパンフレットボックスである。
幅の狭い基台部の前端及び後端にはロープのフックが係止可能なジャンクションが設けられ、かつ基台部の上部には仕切り片により区切られた複数のパンフレット収納室を具備するパンフレット収納部が設けられている。
【０００６】
実用新案登録第３１１０１５１号に係る「各種パンフレット展示用ラック」は、軽量で誰もが簡単に持ち運びが出来て、しかも、折り畳み・分割式で収納場所をとらない安価な各種パンフレット展示用折り畳み収納式ラックである。
前面中央部に所定の間隔を空けた複数の段違いのパンフレット収納用棚枠と上下ほぼ中程部にヒンジ部を設けた枠状のフレームと、ヒンジ部を支点にして前後方向に開閉可能なスタンドと、フレームとスタンド間を所定の角度で係止可能な収納式係止部材と、フレーム上端前面部に係止し、使用目的・用途に応じて取替え可能な表示板を設けている。
【０００７】
これらの他にも各種サイズの用紙やパンフレットを収納して展示する為のケースは色々知られている。しかし、ケースの収納部に収納される用紙やパンフレットは専用のケースでない限りサイズが合わない為に、収納したい用紙やパンフレットが正しく整然と収納出来ないこともある。
【特許文献１】特開２００２−８５２１６号に係る「商品陳列装置」
【特許文献２】特開平７−１１６０４４号に係る「パンフレットボックス」
【特許文献３】実用新案登録第３１１０１５１号に係る「各種パンフレット展示用ラック」
【発明の開示】
【発明が解決しようとする課題】
【０００８】
このように、従来の展示ケースには上記のごとき問題がある。本発明が解決しようとする課題はこの問題点であり、各種用紙やパンフレットのサイズに応じて収納部の大きさを調整することが出来る展示用ケースを提供する。
【課題を解決するための手段】
【０００９】
本発明に係る展示用ケースは一段面又は複数段面を形成した基台を有し、この基台の各段面に側部材を取付けて構成する。側部材は概略Ｕ形断面の基部とＬ形断面の表面板有し、基部は底板を有して内側及び上方は開口している。従って、対を成す両側部材を段面に取付けることで収納部が形成され、しかも側部材は段面に沿って左右方向にスライド出来るように取付けられる。また、段面の中央には仕切り板を取付けて仕切りとする場合もあり、この場合には片方の側部材と仕切り板とで収納部が形成される。
【００１０】
上記側部材はスライドすると共に、所定の位置で停止して固定出来るように係止する手段を有している。そして、上記基台の背面部には門形の背凭れを取付け、該背凭れは上下方向にスライドしてその高さを変えることが出来、該背凭れ上端には表示パネルを取付けることが出来る。また、基台の背面部上端には壁に掛けることが出来るように壁掛け穴を形成する場合もある。
【発明の効果】
【００１１】
本発明の展示用ケースは基台に設け段面に側部材を取付けることで、両側部材によって収納部が形成され、この収納部にパンフレット又は用紙を収納することが出来る。そして、上記側部材は基台の段面に沿って左右にスライドすることが出来、その為に用紙及びパンフレットのサイズに応じて該収納部の大きさが調整出来る。
【００１２】
また、基台の段面中央に仕切り板を取付けるならば、該仕切り板と側部材とで収納部が形成され、各段面に２種類の用紙やパンフレットを収納出来る。一方、背面部には門型の背凭れを上下方向スライド出来るように取付けることで、最上段の収納部に入れた用紙やパンフレットの背面側への倒れを防止出来る。
本発明の展示用ケースは一般に床面又はテーブル面に設定することで顧客は自由に収納部に入っている用紙やパンフレットを取出すことが出来るが、比較的小さい展示用ケースであれば、背面部上端に穴を設けることで部屋の壁面に掛けることも可能となる。
【図面の簡単な説明】
【００１３】
【図１】本発明に係る展示用ケースを示す実施例。
【図２】上方へ伸ばした背凭れに表示プレートを取付けた本発明に係る展示用ケースを示す実施例。
【図３】本発明に係る展示用ケースを構成する基台。
【図４】本発明に係る展示用ケースを構成する側部材。
【図５】基台に取付けるインク受け台。
【図６】基台に取付けるメガネ受け台。
【図７】本発明に係る展示用ケースを構成する背凭れ。
【図８】背凭れ上端に取付ける表示プレート。
【図９】基台に背凭れを取付ける取付け構造。
【図１０】背凭れ上端に表示プレートを取付ける取付け構造。
【図１１】基台に背凭れを取付け、背凭れに表示パネルを取付けた場合の側面図。
【図１２】仕切り板を備えた本発明に係る展示用ケースを示す実施例。
【図１３】仕切り板を示す実施例。
【図１４】仕切り板の取付け構造。
【図１５】本発明に係る展示用ケースに各種サイズの用紙を収納した場合。
【図１６】本発明に係る展示用ケースに各種サイズの用紙を収納した場合。
【図１７】横方向に配置した２つの展示用ケースを連結具にて連結する場合。
【図１８】横方向に配置した２つの展示用ケースを連結具にて連結した場合。
【図１９】展示用ケースを連結する為の連結具の具体例。
【図２０】背面を当接して配置した２つの展示用ケースを連結具にて連結する場合。
【図２１】背面を当接して配置した２つの展示用ケースを連結具にて連結した場合。
【図２２】１つの段面を有す基台。
【発明を実施するための形態】
【００１４】
図１は本発明に係る展示用ケースを示す実施例である。同図の１は基台、２ａ，２ｂ，２ｃは側部材、３は背凭れ、４はインク受け台、５はメガネ受け台をそれぞれ表している。展示用ケースは概略Ｌ型をした基台１に上記側部材２ａ，２ａ，２ｂ，２ｂ，２ｃ，２ｃを取付け、下端には上記インク受け台４とメガネ受け台５を取付けて構成している。勿論、上記インク受け台４及びメガネ受け台５を取付けない場合もある。
【００１５】
同図に示す展示用ケースの場合、基台１に形成している同一段面に側部材２ａ，２ａが対を成して取付けられることで収納部６ａが形成される。同じく、同一段面に側部材２ｂ，２ｂが対を成して取付けられることで収納部６ｂが形成され，さらに、同一段面に側部材２ｃ，２ｃが対を成して取付けられることで収納部６ｃが形成される。そして、これら各側部材２ａ，２ａ，２ｂ，２ｂ，２ｃ，２ｃにて形成される収納部６ａ，６ｂ，６ｃには各種用紙を収納することが出来る。また、各側部材２ａ，２ａ，２ｂ，２ｂ，２ｃ，２ｃは基台１に形成した段面に沿って左右方向へスライドすることで収納部６ａ，６ｂ，６ｃの大きさを調整可能としている。
【００１６】
図２は背凭れ３を上方へ伸ばし、該背凭れ３に表示プレート７を取付けている場合を示す実施例であり、（ａ）は正面斜視図、（ｂ）は背面斜視図をそれぞれ表している。背凭れ３は門形を成して上下方向にスライドすることが出来、同図のように上方へ伸ばした背凭れ３に表示プレート７を取付けている。該表示プレート７には表紙を挟むことが出来る。
【００１７】
以下、本発明の展示用ケースを構成する各部材を説明する。
図３は基台１を示す実施例であり、該基台１は４段を有し、一段面８には上記インク受け台４とメガネ受け台５が取付けられ、二段面９には側部材２ａ，２ａが、三段面１０には側部材２ｂ，２ｂが、四段面１１には側部材２ｃ，２ｃがそれぞれ取付けられる。ところで、各段面８，９・・・には撓み変形することが出来る係止片１２，１２・・・が形成され、係止片１２の先端にはツメ１３を上側に突出している。
【００１８】
図４は側部材２を示す具体例であり、（ａ）は二段面９に取付けられる側部材２ａを、（ｂ）は三段面１０に取付けられる側部材２ｂを表している。側部材２は概略Ｕ型断面の基部１４と該基部１４の表面及び側面から立ち上がるＬ形断面の表面板１５から成っている。基部１４は一方側（内側）と上方を開口し、底板１６には複数のスリット穴１７，１７・・・が等間隔で形成されている。また、基部１４の底部にはガイド溝１８，１８が設けられ、このガイド溝１８，１８に基台１の二段面９に形成したガイド片１９，１９が係合する。
【００１９】
そこで、側部材２ａは二段面９に設けた両ガイド片１９，１９がガイド溝１８，１８に係合することで取付けられ、側部材２ａは二段面９に沿ってスライドすることが出来、この場合、二段面９に設けている係止片１２の先端に形成したツメ１３は底板１６の適当なスリット穴１７に係止することで固定される。すなわち、二段面９，９に取付けられる側部材２ａ，２ａは所定の間隔で固定され、適当な大きさの空間を有す収納部６ａが形成される。
【００２０】
図４（ｂ）に示す側部材２ｂは側部材２ａに対して表面板１５の高さを高くしているが、その他の点は側部材２ａと同じである。従って、該側部材２ｂ，２ｂは三段面１０，１０に所定の間隔をおいて取付けられ、適度な大きさの空間を有す収納部６ｂとなる。側部材２ｃも基本的な形状は側部材２ａ，２ｂと同じであり、四段面１１に取付けられて適度な大きさの空間を有す収納部６ｃと成る。
【００２１】
図５はインク受け台４を単独で示しているが、上記側部材２ａ，２ａ、２ｂ，２ｂ、２ｃ，２ｃにて形成される収納部６ａ，６ｂ，６ｃに収納されている各種用紙に押印する際に使用する為の朱肉が載置される。そして、このインク受け台４は一段面８に取付けられるが、取付け構造は側部材２ａ，２ｂ，２ｃの場合と同じである。
図６はメガネ受け台５を単独で表しているが、このメガネ受け台５には老眼鏡及びペンが収容され、各種用紙に必要事項を記入する際に使うことが出来る。そして、該メガネ受け台５は一段面８に取付けられるが、取付け構造は側部材２ａ，２ｂ，２ｃの場合と同じである。
【００２２】
図７は背凭れ３を単独で表しているが、その形状は門形を成し、基台１の背面部１９に取付けられる。背面部１９の上端から下方へ挿入穴２０，２０が設けられ、この挿入穴２０，２０には背凭れ３の両脚２１，２１が挿入され、上下方向にスライドすることが出来る。脚２１，２１の背面にはスリット溝２２，２２・・・が等間隔で形成され、該スリット溝２２，２２には背面部１９に設けたツメが係止して所定の高さに止着される。
【００２３】
図８は表示プレート７を単独で表している。該表示プレート７は２つ折りされた透明板から成り、両板の間に表紙が挟み込まれる。そして、下端部には脚部２３を設け、この脚部２３は背凭れ３の上端に形成したスリット溝２４に嵌って取付けられ、しかもツメ２５，２５によって押圧されて外れ落ちないようにしている。
【００２４】
図９は背面部１９の挿入穴２０に挿入した背凭れ３の脚２１が止着される止着構造を示す具体例である。背面部１９にはガイド２７が設けられ、このガイド２７の先端（下端）には小さいツメ２６を突出している。そこで、脚２１を挿入穴２０に挿入するならば、該脚２１の背面にツメ２６が当たってガイド２７は撓み変形し、ツメ２６がスリット溝２２に係合することで元の位置に戻る。従って、ツメ２６が適度なスリット溝２２に係合することで、背凭れ３の高さが調整される。
【００２５】
図１０は表示プレート７の脚部２３を背凭れ３のスリット溝２４に嵌め、ツメ２５にて押圧されている場合を示している。脚部２３はツメ２５にて押圧されることでスリット溝２４から外れることはない。勿論、該ツメ２６が係合する穴を脚部２３に形成する場合もある。
図１１は側部材２、インク受け台４、及びメガネ受け台５を取付けていない場合の側面図を示し、基台１の背面部１９には背凭れ３が取付けられ、該背凭れ３には表示プレート７を取付けている。同図から明らかなように、各段面８，９，１０，１１には側部材２のガイド溝１８，１８に係合するガイド片１９，１９が突出している。
【００２６】
図１２は展示用ケースを示す他の実施例であり、基台１にインク受け台とメガネ受け台は取付けておらず、全ての段面に側部材２ａ，２ｂ，２ｃ・・・を取付けている。そして、一段面と二段面にはその中央に仕切り板２８ａ，２８ｂを取着し、一段面及び二段面は両側部材２ａ，２ａ、２ｂ，２ｂの間に仕切り板２８ａ，２８ｂが存在することで２つの収納部を形成している。仕切り板２８は図１３に示しているように表面板２９の背面側中央に仕切り３０を有し、基台１の中央に形成している取付け溝３１に嵌って取付けられる。
【００２７】
図１４（ａ）は仕切り板２８を基台１に取付ける場合を、図１４（ｂ）は仕切り板２８が取付けられた状態を示している。表面板２９の下端には係止ツメ３２が後方へ延び、そして表面板２９の中央背面には仕切り３０が設けられている。この仕切り３０から後方へ嵌合片３３が突出し、仕切り３０が取付け溝３１に嵌ると共に上記嵌合片３３は取付け溝３１の一部に形成した嵌合穴３４に嵌る。そして、係止ツメ３２は中央取付け部の下面に係止することで図１４（ｂ）の状態となる。
【００２８】
ところで、基台１の全ての段面にはその中央に取付け部３５，３５・・・を設け、該取付け部３５，３５・・・に形成した取付け溝３１，３１・・・には、必要に応じて仕切り板２８，２８・・・を取付けることが出来る。すなわち、段面の両側に側部材２ａ，２ａ，２ｂ，２ｂ・・・を取付けることで収納部６ａ，６ｂ・・・が形成されるが、より小サイズの用紙を収納する場合であれば、中央に仕切り板２８ａ，２８ｂ・・・を取付けることで収納部６ａ，６ｂ・・・の空間を２分割することが出来る。前記図１２に示した展示用ケースの場合は、下側の２段面に仕切り板２８ａ，２８ｂが取付けられ、上側の２段面には仕切り板を有していない。
【００２９】
図１５は本発明の展示用ケースに設けた収納部に各種用紙を収納した場合を示している。すなわち、二段面に設けた収納部ではＡ５の用紙を横長にして収納し、三段面に設けた収納部ではＡ５の用紙を縦長として収納し、段面に設けた収納部ではＡ４の用紙を縦長として収納している。
図１６は本発明の展示用ケースに設けた収納部に各種用紙及びハガキを収納している場合を表している。この展示用ケースの場合、一段面にインク受け台及びメガネ受け台を取付けておらず、全ての段面に用紙及びハガキを収納している。
【００３０】
一段面の中央には仕切り板２８が取付けられ、同じく二段面の中央にも仕切り板が取付けられている。そして、仕切り板２８によって仕切られた一段面の収納部にはハガキが縦長にして収納され、仕切り板２８によって仕切られた二段面の収納部にはＡ４の用紙を３つ折りにして収納している。また、三段面及び四段面の収納部にはＡ４の用紙が縦長にして収納されている。
【００３１】
本発明に係る展示用ケースは基台１の各段面の両端に側部材２ａ，２ａ，２ｂ，２ｂ・・・・を取付けて収納部６ａ，６ｂ・・・を形成し、該収納部６ａ，６ｂ・・・に各種用紙を収納することが出来る。そして、隣り合う２つの基台１，１を互いに連結して配置する場合もある。図１７は２つの基台１，１を連結具３６，３６を介して連結する場合であり、図１８は連結具３６，３６を介して互いん連結した場合を示している。連結具３６は図１９に示しているように基板３７に複数の歯３８，３８・・・を等間隔で起立し、これら各歯３８，３８・・・間に形成した隙間に基台１の両側板３９，３９を嵌めることで互いに連結することが出来る。
【００３２】
一方、図２０は基台１，１の背面を互いに当接した状態で連結する場合であり、連結具３６としては横方向に連結する場合と同じ連結具が兼用される。図２１は該連結具３６を介して連結した場合を示している。基台１には両側板３９，３９の間に２枚の中央板４０，４０が設けられ、該中央板４０，４０の下端にはスリット溝４１，４１・・・が切り込まれ、このスリット溝４１，４１・・・に連結具３６の歯３８，３８・・・が嵌ることで互いに連結される。
【００３３】
ところで、前記実施例では複数の段面を備えた基台１に側部材２ａ，２ｂ・・・を取付けた展示用ケースであるが、一段面のみの基台１に側部材を取付けて構成する場合もある。図２２は１つの段面を形成した基台１を示す実施例であり、背面部１９の上端部には壁掛け用の穴４２，４２を設けている。勿論、複数段面を有す基台１の背面部１９にも壁掛け穴４２，４２を有している。
【符号の説明】
【００３４】
１   基台
２   側部材
３   背凭れ
４   インク受け台
５   メガネ受け台
６   収納部
７   表示プレート
８   一段面
９   二段面
10   三段面
11   四段面
12   係止片
13   ツメ
14   基部
15   表面板
16   底板
17   スリット穴
18   ガイド溝
19   背面部
20   挿入穴
21   脚
22   スリット溝
23   脚部
24   スリット溝
25   ツメ
26   ツメ
27   ガイド
28   仕切り板
29   表面板
30   仕切り
31   取付け板
32   係止ツメ
33   嵌合片
34   嵌合穴
35   取付け部
36   連結具
37   基板
38   歯
39   側板
40   中央板
41   スリット溝
42   壁掛け穴
【図１】
2015002785.tif 000003
【図２】
2015002785.tif 000004
【図３】
2015002785.tif 000005
【図４】
2015002785.tif 000006
【図５】
2015002785.tif 000007
【図６】
2015002785.tif 000008
【図７】
2015002785.tif 000009
【図８】
2015002785.tif 000010
【図９】
2015002785.tif 000011
【図１０】
2015002785.tif 000012
【図１１】
2015002785.tif 000013
【図１２】
2015002785.tif 000014
【図１３】
2015002785.tif 000015
【図１４】
2015002785.tif 000016
【図１５】
2015002785.tif 000017
【図１６】
2015002785.tif 000018
【図１７】
2015002785.tif 000019
【図１８】
2015002785.tif 000020
【図１９】
2015002785.tif 000021
【図２０】
2015002785.tif 000022
【図２１】
2015002785.tif 000023
【図２２】
2015002785.tif 000024